(57)【特許請求の範囲】
【請求項１】
基礎に形成される人通口用の切り欠き部の両側に各々取り付けられる一対の側枠部材と、
前記一対の側枠部材の上部間に配置される上枠部材と、
前記一対の側枠部材の下部間に配置される下枠部材と、
前記一対の側枠部材に対し前記上枠部材及び下枠部材を各々位置調整可能にそれぞれ連結する連結部材と、を備える基礎の人通口補強構造であって、
前記連結部材は、
前記側枠部材と上枠部材または下枠部材に少なくとも長孔を介して各々位置調整可能に重ねられる連結プレートと、
前記側枠部材と上枠部材または下枠部材を前記長孔に各々通してそれぞれ固定するボルト及びナットとからなることを特徴とする基礎の人通口補強構造。
【請求項２】
請求項１に記載の基礎の人通口補強構造において、
前記連結プレートは、
前記側枠部材と上枠部材または下枠部材の前記長孔を設けていない枠部材に対し丸孔に通したボルトにナットを締め付けて固定されて、
前記側枠部材と上枠部材または下枠部材の前記長孔を設けた枠部材に対し前記長孔に通したボルトにナットを締め付けて固定されることを特徴とする基礎の人通口補強構造。
【請求項３】
請求項１又は２に記載の基礎の人通口補強構造において、
前記側枠部材は、前記基礎の主筋を避けた位置に埋設固定したアンカーボルトにナットを締め付けて固定されることを特徴とする基礎の人通口補強構造。
【請求項４】
請求項１から３のいずれか一項に記載の基礎の人通口補強構造において、
前記側枠部材、上枠部材及び下枠部材は鉄板で形成されることを特徴とする基礎の人通口補強構造。
【発明の詳細な説明】
【技術分野】
【０００１】
本発明は、基礎に形成される人通口の補強構造に関する。
【背景技術】
【０００２】
特許文献１において、布状基礎開口部の耐震補強フレームが提案される。
その耐震補強フレームは、布状基礎の切り欠き部として形成された方形状の開口部、具体的には、換気口や人通口に取り付けられるもので、その開口部の内側に取り付けられ四隅が剛接合である方形枠部材を備える。そして、方形枠部材が開口部を囲む４面に対してそれぞれ当接する取付面を有している。また、開口部を囲む４面のうち、左右面及び下面が布状基礎により形成される面である。また、上面が天端に載置される連続的な土台により又は布状基礎により形成される面である。また、方形枠部材における開口部の上面に位置する部分が、土台又は布状基礎の一部をその両側面から挟み込むことが可能な断面形状を備える。
【先行技術文献】
【特許文献】
【０００３】
【特許文献１】特許第５１４２６５６号（特開２００９−９１７７８号）公報
【発明の概要】
【発明が解決しようとする課題】
【０００４】
しかし、特許文献１の耐震補強フレームは、画一の大きさのため、基礎の開口部の大きさの変化に対応できない。
また、耐震補強フレームの上面は、天端に載置される連続的な土台により形成される構造か、布状基礎により形成される構造のいずれかに制限されていた。
また、既存の基礎の人通口は、耐力上、不連続の状態であった。すなわち、既存の基礎の人通口には、上端筋が無く、せん断力を伝える役割が無かった。
【０００５】
そこで、本発明は、基礎に形成される人通口用の切り欠き部の大きさの変化に対応可能で、基礎の上に載る構造物に影響されない人通口補強構造を提供することを目的とする。
【課題を解決するための手段】
【０００６】
以上の課題を解決するため、請求項１に記載の発明は、例えば図１から図４に示すように、
基礎１に形成される人通口用の切り欠き部の両側に各々取り付けられる一対の側枠部材３と、
前記一対の側枠部材３の上部間に配置される上枠部材４と、
前記一対の側枠部材３の下部間に配置される下枠部材５と、
前記一対の側枠部材３に対し前記上枠部材４及び下枠部材５を各々位置調整可能にそれぞれ連結する連結部材と、を備える、基礎の人通口補強構造であって、
前記連結部材は、
前記側枠部材３と上枠部材４または下枠部材５に少なくとも長孔４ａ・５ａを介して各々位置調整可能に重ねられる連結プレート７と、
前記側枠部材３と上枠部材４または下枠部材５を前記長孔４ａ・５ａに各々通してそれぞれ固定するボルト８及びナット９とからなることを特徴とする。
【０００７】
請求項１に記載の発明によれば、基礎１に形成される人通口用の切り欠き部の両側に一対の側枠部材３を各々取り付け、その上部間と下部間に上枠部材４及び下枠部材５を各々配置して、その上枠部材４及び下枠部材５を一対の側枠部材３に対し連結部材で各々位置調整しながらそれぞれ連結して、一対の側枠部材３とその間の上枠部材４及び下枠部材５とで囲まれた人通口７を形成することができる。
従って、基礎１に形成される人通口用の切り欠き部の大きさの変化に対応することができて、基礎１の上に載る構造物に影響されない人通口補強構造を提供することができる。
また、請求項１に記載の発明によれば、側枠部材３と上枠部材４または下枠部材５に少なくとも長孔４ａ・５ａを介して連結プレート７を各々位置調整しながら重ね、その長孔４ａ・５ａにボルト８を各々通してナット９で側枠部材３と上枠部材４または下枠部材５をそれぞれ固定することができる。
【００１０】
請求項２に記載の発明は、例えば図１から図４に示すように、
請求項１に記載の基礎の人通口補強構造において、
前記連結プレート７は、
前記側枠部材３と上枠部材４または下枠部材５の前記長孔４ａ・５ａを設けていない枠部材３に対し丸孔３ａ・７ａに通したボルト８にナット９を締め付けて固定されて、
前記側枠部材３と上枠部材４または下枠部材５の前記長孔４ａ・５ａを設けた枠部材４・５に対し前記長孔４ａ・５ａに通したボルト８にナット９を締め付けて固定されることを特徴とする。
【００１１】
請求項２に記載の発明によれば、側枠部材３に対し丸孔３ａ・７ａに通したボルト８にナット９を締め付けて連結プレート７を固定して、上枠部材４または下枠部材５に対し長孔４ａ・５ａに通したボルト８にナット９を締め付けて連結プレート７を固定することができる。
【００１２】
請求項３に記載の発明は、例えば図３から図５に示すように、
請求項１又は２に記載の基礎の人通口補強構造において、
前記側枠部材３は、前記基礎１の主筋１ａを避けた位置に埋設固定したアンカーボルト１１にナット１２を締め付けて固定されることを特徴とする。
【００１３】
請求項３に記載の発明によれば、基礎１の主筋１ａを避けた位置に埋設固定したアンカーボルト１１にナット１２を締め付けて側枠部材３を固定することができる。
【００１４】
請求項４に記載の発明は、例えば図１から図５に示すように、
請求項１から３のいずれか一項に記載の基礎の人通口補強構造において、
前記側枠部材３、上枠部材４及び下枠部材５は鉄板で形成されることを特徴とする。
【００１５】
請求項４に記載の発明によれば、基礎１に形成される人通口６を側枠部材３、上枠部材４及び下枠部材５の鉄板による高い強度で四方を囲んで補強することができる。
【発明の効果】
【００１６】
本発明によれば、基礎に形成される人通口用の切り欠き部の大きさの変化に対応することができて、基礎の上に載る構造物に影響されない補強構造を提供することができる。
また、一対の側枠部材、上枠部材、下枠部材及び連結部材により、切り欠き部で離間する基礎のせん断力を基礎全体に伝えることができる。
【図面の簡単な説明】
【００１７】
【図１】本発明に係る基礎の人通口補強構造を示す概略斜視図である。
【図２】図１の枠部材及び連結プレートの分解図である。
【図３】図１の人通口補強構造部の横断平面図である。
【図４】図１の人通口補強構造部の縦断正面図である。
【図５】図１の側枠部材部の縦断側面図である。
【図６】変形例の側枠部材と上枠部材との関係を示すもので、結合状態の平面図（ａ）と、分離状態の側面図（ｂ）である。
【発明を実施するための形態】
【００１８】
以下、図面を参照して本発明の実施の形態について説明する。
（実施形態）
図１は本発明に係る基礎の人通口補強構造を示すもので、１は布基礎、２は人通口形成枠である。
【００１９】
図示のように、布基礎１に形成される人通口用の切り欠き部には、人通口形成枠２を取り付けて補強されている。この人通口形成枠２は、床下に潜って既設の布基礎を削り取って形成した切り欠き部に取り付けられるもので、例えば縦４５０ｍｍ×横（最小）７８０ｍｍで幅１１０ｍｍ程度の大きさである。
人通口形成枠２は、鉄板（鋼板）製で、左右一対の側枠部材３と、上下で対をなす上枠部材４及び下枠部材５から構成されて、これら一対の側枠部材３とその間の上枠部材４及び下枠部材５とで囲まれた人通口６が形成される。この人通口６は、例えば縦３００ｍｍ×横（最小）５５０ｍｍ程度の大きさである。
【００２０】
そして、左右の側枠部材３に対し上枠部材４及び下枠部材５を各々位置調整可能にそれぞれ連結する連結部材が設けられている。
なお、連結部材は、側枠部材３と上枠部材４または下枠部材５に少なくとも長孔を介して各々位置調整可能に重ねられる連結プレート７と、側枠部材３と上枠部材４または下枠部材５を長孔に各々通してそれぞれ固定するボルト８及びナット９からなる。
【００２１】
図２は枠部材３・４・５及び連結プレート７を分解したものである。
【００２２】
図示のように、左右の側枠部材３の各々は、前面板、後面板、上面板、下面板及び側面板から形成されている。その前面板及び後面板の上下に、左右一対の丸孔３ａがそれぞれ形成されて、側面板には、上下一対の丸孔３ｂがそれぞれ形成されている。この上下一対の丸孔３ｂは、側面板の略対角線上に配置されている。
【００２３】
そして、上枠部材４は、前面板、後面板及び上面板から形成されている。その前面板及び後面板の左右に、横方向に長い一対の長孔４ａがそれぞれ形成されている。
【００２４】
また、下枠部材５は、前面板、後面板及び下面板から形成されている。その前面板及び後面板の左右に、横方向に長い一対の長孔５ａがそれぞれ形成されている。
【００２５】
連結プレート７は、二枚一組で合計八組用意され、その各々の左右に、左右一対の丸孔７ａがそれぞれ形成されている。この左右一対の丸孔７ａのピッチは、側枠部材３の左右一対の丸孔３ａのピッチに対応する。
以上の連結プレート７は、四組のボルト８及びナット９で側枠部材３と上枠部材４または下枠部材５に結合される。
【００２６】
図３及び図４は人通口補強構造部を横断平面と縦断正面でそれぞれ示したもので、図５は側枠部材３部を縦断側面で示したものである。
【００２７】
図示のように、布基礎１に形成される人通口用の切り欠き部の両側面の各々には、上下一対のアンカーボルト１１が接着剤で埋設固定されている。この上下一対のアンカーボルト１１は、布基礎１の主筋１ａを避けた略対角線上の位置に配置されている。
なお、アンカーボルト１１とは、いわゆる後施工アンカーを指しており、種々のものを採用できる。
【００２８】
以上の上下一対のアンカーボルト１１を、側枠部材３の側面板の丸孔３ｂに各々通して、そのアンカーボルト１１にナット１２をそれぞれ締め付けることで、布基礎１に形成される人通口用の切り欠き部の両側面に側枠部材３をそれぞれ固定する。
【００２９】
次に、左右の側枠部材３の間に上枠部材４及び下枠部材５を挿入し、側枠部材３の一対の丸孔３ａの前後に連結プレート７を各々添わせて、その丸孔７ａ・３ａにボルト８をそれぞれ通しておく。
【００３０】
また、上枠部材４の長孔４ａの前後にも連結プレート７を各々添わせて、その丸孔７ａ及び長孔４ａにボルト８をそれぞれ通しておく。
【００３１】
同様に、下枠部材５の長孔５ａの前後にも連結プレート７を各々添わせて、その丸孔７ａ及び長孔５ａにボルト８をそれぞれ通しておく。
【００３２】
そして、ボルト８にナット９をそれぞれ締め付けることで、図１に示したように、布基礎１に形成される人通口用の切り欠き部に対する人通口形成枠２の取り付けを完了する。
【００３３】
以上、実施形態によれば、基礎１に形成される人通口用の切り欠き部の両側に一対の側枠部材３を各々取り付け、その上部間と下部間に上枠部材４及び下枠部材５を各々配置して、その上枠部材４及び下枠部材５を一対の側枠部材３に対し連結部材で各々位置調整しながらそれぞれ連結して、図１に示すように、左右一対の側枠部材３とその間の上枠部材４及び下枠部材５とで囲まれた人通口６を形成することができる。
【００３４】
すなわち、基礎１の主筋１ａを避けた位置に埋設固定したアンカーボルト１１にナット１２を締め付けて左右の側枠部材３をそれぞれ固定し、その左右の側枠部材３に対し丸孔３ａ・７ａに通したボルト８にナット９を締め付けて連結プレート７をそれぞれ固定して、上枠部材４または下枠部材５に対し長孔４ａ・５ａに通したボルト８にナット９を締め付けて連結プレート７をそれぞれ固定する。
これにより、左右の側枠部材３と、その間の上枠部材４及び下枠部材５で囲まれた人通口６を形成することができる。
【００３５】
従って、布基礎１に形成される人通口６用の切り欠き部の大きさの変化に対し、長孔４ａ・５ａの長さにより対応することができて、布基礎１の上に載る構造物に影響されない人通口６の補強構造を提供することができる。
【００３６】
そして、左右一対の側枠部材３、上枠部材４、下枠部材５及び連結部材（連結プレート７、ボルト８、ナット９）からなる人通口形成枠２により、切り欠き部で離間する布基礎１のせん断力を基礎全体に伝えることができる。
また、長孔４ａ・５ａへのボルト箇所は、実施形態のように二つだと回転しないので、せん断力が有効に伝わるものとなっている。
【００３７】
（変形例）
図６（ａ）及び（ｂ）は変形例の側枠部材３と上枠部材４との関係を示すもので、図示
のように、側枠部材３は、側面板の中央に縦面板を有する横断面Ｔ字状で、上枠部材４は、上面板の中央に縦面板を有する縦断面Ｔ字状となっている。
そして、横断面Ｔ字状の側枠部材３中央の縦面板の上下に左右一対の丸孔３ａが形成されて、縦断面Ｔ字状の上枠部材４中央の縦面板の左右に横方向に長い一対の長孔４ａが形成されている。
【００３８】
従って、左右の側枠部材３の間に上枠部材４を挿入し、側枠部材３中央の縦面板の一対の丸孔３ａの前後に連結プレート７を各々添わせて、その丸孔７ａ・３ａにボルト８をそれぞれ通しておく。
また、上枠部材４中央の縦面板の長孔４ａの前後にも連結プレート７を各々添わせて、その丸孔７ａ及び長孔４ａにボルト８をそれぞれ通しておく。
そして、ボルト８にナット９をそれぞれ締め付ける。
【００３９】
なお、下枠部材５は、図示しないが、下面板の中央に縦面板を有する縦断面逆Ｔ字状とする。
【００４０】
このように、側枠部材３、上枠部材４及び下枠部材５は、せん断力に耐えること、ねじれに耐えること、手作業でボルト・ナットを回すことを考えると、Ｔ字状断面の方が好ましい。
【００４１】
なお、その他、側枠部材３、上枠部材４及び下枠部材５は、板面が縦方向のプレートや横Ｈ型断面でもよい。
【００４２】
（他の変形例）
以上の実施形態においては、上枠部材及び下枠部材に長孔を各々形成して連結プレートとボルトナット結合する構造としたが、逆に、側枠部材に長孔を形成して連結プレートとボルトナット結合する構造としたり、連結プレートに長孔を形成して上枠部材及び下枠部材または／及び側枠部材にボルトナット結合する構造としてもよい。
また、側枠部材、上枠部材、下枠部材、及び連結プレートの形状等も任意であり、その他、具体的な細部構造等についても適宜に変更可能であることは勿論である。
【００４３】
以上の実施形態及び変形例で説明したように、連結部材である連結プレート７及びボルト８・ナット９と、長孔とはセットで用いられ、基礎の人通口補強構造における一対の側枠部材３と上枠部材４・下枠部材５との連結手段及び位置調整手段として機能する。また、以上において、位置調整とは、側枠部材３と上枠部材４との間隔、側枠部材３と下枠部材５との間隔を、人通口６用の切り欠き部の大きさに対応させて調整することを意味している。
【符号の説明】
【００４４】
１  布基礎
１ａ  主筋
２  人通口形成枠
３  側枠部材
３ａ  丸孔
３ｂ  丸孔
４  上枠部材
４ａ  長孔
５  下枠部材
５ａ  長孔
６  人通口
７  連結プレート
７ａ  丸孔
８  ボルト
９  ナット
１１  アンカーボルト
１２  ナット
【図１】
0006371131.tif 000002
【図２】
0006371131.tif 000003
【図３】
0006371131.tif 000004
【図４】
0006371131.tif 000005
【図５】
0006371131.tif 000006
【図６】
0006371131.tif 000007